(57)【要約】      （修正有）【課題】持ち手単独で缶を支持しつつ、缶の安定性を高めることができる缶ホルダを提供する。【解決手段】缶ホルダ１を、缶２９の側面に沿って配置され、本体１８と伸縮部材１９とからなる棒部材１７と、棒部材１７の本体１８に取り付けられたハンドル部３と、棒部材１７の本体１８の上端部２７付近に設けられ、下向きの溝１２で缶２９の上縁部３１を保持する上側保持部７と、棒部材１７の伸縮部材１９の下端部２５付近に設けられ、上向きの溝１３で缶２９の下縁部３３を保持する下側保持部９と、棒部材１７の伸縮部材１９の下端部２５付近に棒部材１７に対して着脱可能に連結される平板状の受け部５とで構成する。棒部材１７と受け部５とは、棒部材１７の伸縮部材１９の下端部２５付近に設けた連結部材１１を受け部５に設けた連結溝に挿入することにより連結される。【選択図】図１
0003197176.tif 000002
【実用新案登録請求の範囲】
【請求項１】
缶に取り付けられる缶ホルダであって、
前記缶の側面に沿って配置される棒部材と、
前記棒部材に取り付けられたハンドル部と、
前記棒部材の上端部付近から前記棒部材と直交する方向に突出して設けられ、下向きの溝を有し、前記下向きの溝で前記缶の上縁部を保持する上側保持部と、
前記棒部材の下端部付近から前記棒部材と直交する方向に突出して設けられ、上向きの溝を有し、前記上向きの溝で前記缶の下縁部を保持する下側保持部と、
を具備し、
前記棒部材は、本体と伸縮部材とからなり、前記本体に沿って前記伸縮部材をスライドさせることにより伸縮することを特徴とする缶ホルダ。
【請求項２】
前記棒部材の下端部付近に連結される平板状の受け部を具備することを特徴とする請求項１記載の缶ホルダ。
【請求項３】
前記受け部が、前記棒部材に対して着脱可能であることを特徴とする請求項２記載の缶ホルダ。
【請求項４】
前記棒部材の下端部付近に、前記棒部材と直交する連結部材が設けられ、前記連結部材を前記受け部に設けられた連結溝に挿入することにより、前記棒部材と前記受け部とが連結されることを特徴とする請求項２または請求項３に記載の缶ホルダ。
【考案の詳細な説明】
【技術分野】
【０００１】
本考案は、缶に取り付けられる缶ホルダに関するものである。
【背景技術】
【０００２】
従来、様々な飲料缶が普及しており、飲料缶を手に持って飲料を飲んだり、容器に飲料を注いだりする機会が多くある。しかし、缶の中の飲料が加熱あるいは冷却されている場合、缶を手で直接持つと、持ちにくかったり、不快感を感じたりすることがある。そのため、（１）縦長の取手の上下端に凹部を形成し、凹部で缶の上部と下部とを固定して用いる簡易取手が提案されてきた（例えば、特許文献１参照。）
【０００３】
また、（２）持ち手の上端に形成された凹部で缶の上部を固定し、持ち手の支柱の下端に設けた受け皿の皿状の部分内に缶の底部を乗せるもの（特許文献２参照）や、（３）取手の支柱の下端に着脱される筒状の受け皿に缶の底部を入れ、支柱に設けられたゴムバンドで缶を固定するもの（特許文献３参照）等がある。
【先行技術文献】
【特許文献】
【０００４】
【特許文献１】特開平９−２１６６３４号公報
【特許文献２】特開２００３−７２７６７号公報
【特許文献３】特開２００７−３１４２４１号公報
【考案の開示】
【考案が解決しようとする課題】
【０００５】
しかしながら、（１）の取手では、冷たい飲料缶を置いた場合に結露でテーブル等の表面が汚れたり、内容量が減った時に缶が不安定になったりするという問題があった。（２）、（３）は、これらを改善するためのものであるが、いずれも受け皿の内部に缶の底部を嵌め込んで缶を支持するため、缶の底部より大きな径の受け皿が必要であった。
【０００６】
本考案は、このような問題に鑑みてなされたもので、持ち手単独で缶を支持しつつ、缶の安定性を高めることができる缶ホルダを提供することを目的とする。
【課題を解決するための手段】
【０００７】
前述した目的を達成するため、本考案は、缶に取り付けられる缶ホルダであって、前記缶の側面に沿って配置される棒部材と、前記棒部材に取り付けられたハンドル部と、前記棒部材の上端部付近から前記棒部材と直交する方向に突出して設けられ、下向きの溝を有し、前記下向きの溝で前記缶の上縁部を保持する上側保持部と、前記棒部材の下端部付近から前記棒部材と直交する方向に突出して設けられ、上向きの溝を有し、前記上向きの溝で前記缶の下縁部を保持する下側保持部と、を具備し、前記棒部材は、本体と伸縮部材とからなり、前記本体に沿って前記伸縮部材をスライドさせることにより伸縮することを特徴とする缶ホルダである。
【０００８】
前記棒部材の下端部付近に連結される平板状の受け部を具備することが望ましい。
また、前記受け部が、前記棒部材に対して着脱可能であることが望ましい。
【０００９】
前記棒部材と前記受け部とは、例えば、前記棒部材の下端部付近に、前記棒部材と直交する連結部材が設けられ、前記連結部材を前記受け部に設けられた連結溝に挿入することにより、連結される。
【００１０】
本考案によれば、棒部材の上端部付近に設けられた上側保持部で缶の上縁部を保持し、棒部材の下端部付近に設けられた下側保持部で缶の下縁部を保持するため、持ち手単独で缶を支持することができる。
【００１１】
また、棒部材を伸縮可能であるため、異なる長さの缶に対応できる。また、受け部を設けることで、缶の安定性を高めることができる。なお、受け部は、平板状で、缶の底部と同等以下の径とできる。また、受け部が、棒部材に対して着脱可能であれば、収納や持ち運びの際に受け部を取り外すことができ、嵩張ることがなくなる。棒部材と受け部とを、棒部材に設けた連結部材を受け部に設けた連結溝に挿入することによって連結すれば、受け部を容易に着脱することができる。
【考案の効果】
【００１２】
本考案によれば、持ち手単独で缶を支持しつつ、缶の安定性を高めることができる缶ホルダを提供することができる。
【図面の簡単な説明】
【００１３】
【図１】缶ホルダ１を示す図
【図２】持ち手２を示す図
【図３】受け部５を示す図
【図４】連結部材１１、連結溝２３付近の拡大図
【図５】棒部材１７を伸長した状態の缶ホルダ１を示す図
【考案を実施するための形態】
【００１４】
以下、本考案の実施の形態を詳細に説明する。図１は、缶ホルダ１を示す図である。図１（ａ）は、缶ホルダ１の立面図、図１（ｂ）は、図１（ａ）に示す矢印Ａ−Ａによる缶ホルダ１の断面図、図１（ｃ）は、缶ホルダ１を図１（ａ）に示す矢印Ｂの方向から見た平面図である。図２は、持ち手２を示す図である。図２の（ａ）は、持ち手２を図１（ａ）に示す矢印Ｆの方向から見た立面図、図２（ｂ）は、持ち手２を図１（ａ）と同じ方向から見た立面図、図２（ｃ）は、棒部材１７を伸長した図である。
【００１５】
缶ホルダ１は、図１に示すように、持ち手２、連結部材１１、受け部５等からなる。持ち手２は、図１、図２に示すように、棒部材１７、ハンドル部３、上側保持部７、下側保持部９等からなる。
【００１６】
棒部材１７は、図１に示すように、缶ホルダ１に缶２９を設置した際に、缶２９の側面に沿って配置される部材である。棒部材１７は、図２（ｂ）に示すように、本体１８、伸縮部材１９、バネ２１等からなる。棒部材１７の本体１８は、側面に伸縮ボタン１５が設けられる。また、本体１８は、内部に空洞を有し、空洞内にバネ２１と伸縮部材１９とが内蔵される。伸縮部材１９はバネ２１に連結される。
【００１７】
棒部材１７が図２（ｂ）に示す状態のとき、バネ２１は縮んだ状態で、伸縮部材１９は伸縮ボタン１５と連動する図示しない係止機構によって係止される。伸縮ボタン１５を押すと、伸縮部材１９の係止が外れ、伸縮部材１９が本体１８に沿ってスライド可能な状態となってバネ２１で下方に押し出され、図２（ｃ）に示すように棒部材１７が伸長する。棒部材１７が図２（ｃ）に示す状態のとき、バネ２１は伸びた状態で、伸縮部材１９は前述の図示しない係止機構によって係止される。伸長した棒部材１７を縮める時は、伸縮ボタン１５を押しながら伸縮部材１９を本体１８内に押し入れる。
【００１８】
ハンドル部３は、図１に示すように、湾曲した部材であり、一端が棒部材１７の本体１８の上端部２７付近に、他端が棒部材１７の本体１８の下端部２５付近に取り付けられる。ハンドル部３は、図１に示す形状に限らず、持ちやすい形状であればよい。
【００１９】
上側保持部７は、図２に示すように、棒部材１７の本体１８の上端部２７付近から棒部材１７と直交する方向に突出して設けられる。上側保持部７は、下向きの溝１２を有する。上側保持部７は、図１（ａ）に示すように、溝１２で缶２９の上縁部３１を保持する。
【００２０】
下側保持部９は、図２に示すように、棒部材１７の伸縮部材１９の下端部３５付近から棒部材１７と直交する方向に突出して設けられる。下側保持部９は、連結部材１１と一体であり、連結部材１１の上側フランジ１１ａ、凸部９ａ、凸部９ｂとで形成される上向きの溝１３を有する。下側保持部９は、図１（ａ）に示すように、溝１３で缶２９の下縁部３３を保持する。すなわち、缶２９の自重は、上下の上側保持部７および下側保持部９で支持される。
【００２１】
連結部材１１は、図２に示すように、棒部材１７の伸縮部材１９の下端部３５に、棒部材１７と直交するように固定される。連結部材１１は、上側フランジ１１ａ、下側フランジ１１ｂ、ウェブ１１ｃからなる。
【００２２】
図３は、受け部５を示す図である。図３（ａ）は、受け部５を上方から見た平面図、図３（ｂ）は、受け部５を図３（ａ）に示す矢印Ｃの方向から見た立面図である。図４は、連結部材１１、連結溝２３付近の拡大図である。
【００２３】
受け部５は、図３、図４に示すように、平板状の円形部材である。受け部５は、連結部材１１の断面に対応するＨ型状の連結溝２３を有する。棒部材１７に固定された連結部材１１は、図４の矢印Ｄに示すように、受け部５の側面３７側から連結溝２３に挿入される。これにより、図１に示すように、持ち手２の棒部材１７の下端部付近に受け部５が連結される。受け部５は、例えば、持ち手２が支持する缶２９（図１）の底部と同等以下の径とする。
【００２４】
図５は、棒部材１７を伸長した状態の缶ホルダ１を示す図である。図５（ａ）は、缶ホルダ１の立面図、図５（ｂ）は、缶ホルダ１を図５（ａ）に示す矢印Ｅの方向から見た立面図である。
【００２５】
缶ホルダ１は、伸縮ボタン１５を押すと、前述したように、棒部材１７が伸長する。棒部材１７が伸長すると、図５に示すように、連結部材１１を介して伸縮部材１９の下端部３５に連結された受け部５が下方に移動し、図１に示す状態の缶ホルダ１よりも上側保持部７と下側保持部９との間隔が大きくなる。図５に示す状態の缶ホルダ１の持ち手２は、上側保持部７の溝１２で上縁部３１ａを保持し、下側保持部９の溝１３で下縁部３３ａを保持することにより、図１に示す缶２９よりも長い缶２９ａを支持する。
【００２６】
このように、本実施の形態の缶ホルダ１は、棒部材１７が伸縮可能であるため、図２、図５に示すように棒部材１７の長さを変えることによって異なる長さの缶に対応できる。例えば、３５０ｍｌ缶と５００ｍｌ缶の両方に対応することができる。
【００２７】
缶ホルダ１は、図１、図５に示すように、上側保持部７の溝１２で缶の上縁部を保持し、下側保持部９の溝１３で缶の下縁部を保持することにより、持ち手２単独で缶を支持することができる。この際、棒部材１７を少し伸ばした状態として、缶の上縁に上側保持部７を装着した後、棒部材１７を縮めて、缶の下縁部に下側保持部９を装着することで、容易に缶へ装着することができる。また、缶ホルダ１は、平板状の受け部５を有するため、底面が平らであり、缶を取り付けて使用する際に高い安定性が得られる。この際、缶２９の荷重が、持ち手２で支持され、受け部５には過剰に荷重がかかることがない。
【００２８】
缶ホルダ１は、図４に示すように、棒部材１７と受け部５とを、棒部材１７に設けた連結部材１１を受け部５に設けた連結溝２３に挿入することによって連結するため、棒部材１７に対して受け部５を容易に着脱することができる。缶ホルダ１は、受け部５が棒部材１７に対して着脱可能であるため、収納や持ち運びの際に受け部５を取り外すことができ、嵩張らない。
【００２９】
なお、本実施の形態では、棒部材１７を伸縮可能としたが、伸縮は２段階でなくてもよく、伸縮機構は前述したものに限らない。また、受け部５を設けなくてもよい。受け部５は、棒部材１７に固定されてもよい。連結部材１１と連結溝２３の断面形状は、図２から図４に示すものに限らず、棒部材１７と受け部５とを確実に連結できる形状であればよい。
【００３０】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００３１】
１………缶ホルダ
２………持ち手
３………ハンドル部
５………受け部
７………上側保持部
９………下側保持部
１１………連結部材
１２、１３………溝
１５………伸縮ボタン
１７………棒部材
１８………本体
１９………伸縮部材
２３………連結溝
２５、３５………下端部
２７………上端部
２９、２９ａ………缶
３１、３１ａ………上縁部
３３、３３ａ………下縁部
【図１】
0003197176.tif 000003
【図２】
0003197176.tif 000004
【図３】
0003197176.tif 000005
【図４】
0003197176.tif 000006
【図５】
0003197176.tif 000007